(57)【要約】【課題】テント骨組を一体として折り畳むことが可能な催事用テントを提供する。【解決手段】各支柱２の上に肩梁３と横梁４と傾斜梁５と頂梁６とによって切妻形屋根部９が構成される催事用テントであって、支柱２と横梁４と傾斜梁５とを互いに曲折可能に連結する隅部継手１０と、各傾斜梁５と頂梁６とを折り畳み可能に連結する頂部継手１１と、横梁４の中央部を曲折可能に連結する横梁中央部継手４５と、肩梁３の中央部を曲折可能に連結する肩梁中央部継手３５と、頂梁６の中央部を切り離し可能に連結する頂梁切り離し継手６５と、を備え、頂梁６の中央部を切り離して支柱２と肩梁３と横梁４と頂梁６とがそれぞれ傾斜梁５に沿うように折り畳まれる構成とした。【選択図】図３
2009091767.tif 000002
【特許請求の範囲】
【請求項１】
接地して上方向に延びる少なくとも４本の支柱と、
この各支柱の上端部間にて左右方向に延びる前後の肩梁と、
前記各支柱の上端部間にて前後方向に延びる左右の横梁と、
前記各支柱の上端部間にて前後斜め上方向に延びる少なくとも４本の傾斜梁と、
この各傾斜梁の上端部を連結する頂部に渡って左右方向に延びる頂梁と備え、
前記各支柱の上に前記各肩梁と前記各横梁と前記各傾斜梁と前記頂梁とによって切妻形屋根部が構成される催事用テントであって、
前記支柱と前記横梁と前記傾斜梁とを互いに曲折可能に連結する隅部継手と、
前記各傾斜梁と前記頂梁とを折り畳み可能に連結する頂部継手と、
前記横梁の中央部を曲折可能に連結する横梁中央部継手と、
前記肩梁の中央部を曲折可能に連結する肩梁中央部継手と、
前記頂梁の中央部を切り離し可能に連結する頂梁切り離し継手と、を備え、
前記頂梁の中央部を切り離して前記支柱と前記肩梁と前記横梁と前記頂梁とがそれぞれ前記傾斜梁に沿うように折り畳まれる構成としたことを特徴とする催事用テント。
【請求項２】
前記支柱と前記肩梁と前記横梁と前記傾斜梁とを折り畳み可能に連結する隅部継手を備え、
この各隅部継手を前記傾斜梁の下端部に固定し、
前記隅部継手を介して折り畳まれた前記支柱と前記横梁と前記肩梁とが前記各傾斜梁の内側に収まる構成としたことを特徴とする請求項１に記載の催事用テント。
【請求項３】
前記肩梁を第一、第二肩梁に分割し、
前記肩梁中央部継手は前記第一、第二肩梁を回動可能に支持するピンを備え、
このピンを前記各傾斜梁を含む平面に対して直交するように配置し、
前記第一、第二肩梁が前記各傾斜梁を含む平面に沿って折り畳まれる構成としたことを特徴とする請求項１または２に記載の催事用テント。
【発明の詳細な説明】
【技術分野】
【０００１】
本発明は、各種の集会や催物の際に日除け或いは雨除け用等として使用される催事用テントに関するものである。
【背景技術】
【０００２】
一般に、この種の催事用テントは、各支柱の上に切妻形屋根部を構成するテント骨組を備えている。
【０００３】
特許文献１に開示された催事用テントは、テント骨組を複数のユニットに分割して折り畳むようになっている。
【特許文献１】特開２００１−３０３８００号公報
【発明の開示】
【発明が解決しようとする課題】
【０００４】
しかしながら、このような従来の催事用テントにあっては、折り畳まれたテント骨組は、複数のユニットに分割されるため、次回のテント骨組の組み立て作業をスムーズに行えないという問題点があった。
【０００５】
本発明は上記の問題点に鑑みてなされたものであり、テント骨組を一体として折り畳むことが可能な催事用テントを提供することを目的とする。
【課題を解決するための手段】
【０００６】
本発明は、接地して上方向に延びる少なくとも４本の支柱と、各支柱の上端部間にて左右方向に延びる前後の肩梁と、各支柱の上端部間にて前後方向に延びる左右の横梁と、各支柱の上端部間にて前後斜め上方向に延びる少なくとも４本の傾斜梁と、この各傾斜梁の上端部を連結する頂部に渡って左右方向に延びる頂梁と備え、各支柱の上に各肩梁と各横梁と各傾斜梁と頂梁とによって切妻形屋根部が構成される催事用テントであって、支柱と横梁と傾斜梁とを互いに曲折可能に連結する隅部継手と、各傾斜梁と頂梁とを折り畳み可能に連結する頂部継手と、横梁の中央部を曲折可能に連結する横梁中央部継手と、肩梁の中央部を曲折可能に連結する肩梁中央部継手と、頂梁の中央部を切り離し可能に連結する頂梁切り離し継手とを備え、頂梁の中央部を切り離して支柱と肩梁と横梁と頂梁とがそれぞれ傾斜梁に沿うように折り畳まれる構成とした。
【発明の効果】
【０００７】
本発明によると、テント骨組の折り畳み時、頂梁切り離し継手を介して頂梁の中央部を切り離す構造ため、横梁の中程と肩梁の中央部をそれぞれ切り離すことなく一体として折り畳むことが可能となる。このため、テント骨組を従来のように複数ユニットに分割する必要がなく、テント骨組の組み立て作業、収納作業等を容易に行える。
【０００８】
テント骨組は、組み立てられた状態にて、頂梁が頂梁切り離し継手によって接続されるため、頂梁を介して各頂部継の位置及び姿勢が定まり、切妻形屋根部の骨組形状が維持され、雨、風等の外力に対抗する剛性が十分に確保される。
【発明を実施するための最良の形態】
【０００９】
以下、本発明の実施の形態を添付図面に基づいて説明する。
【００１０】
図１は催事用テントに設けられるテント骨組１の概略構成を示す斜視図である。このテント骨組１は、接地する４本の支柱２を備え、この各支柱２の上に切妻形屋根部９が構成される。この切妻形屋根部９には、図示しないテントキャンバスが張設されて、日除け、雨除けの役目が果たされる。なお、各支柱２の間にテントキャンバスを張り巡らしても良い。
【００１１】
テント骨組１の屋根部は、各支柱２の上端部間にて左右方向に延びる肩梁３と、各支柱２の上端部間にて前後方向に延びる横梁４と、各支柱２の上端部間にて前後斜め上方向に延びる４本の傾斜梁５と、これら傾斜梁５の上端部を連結する頂部に渡って左右方向に延びる１本の頂梁６と備える。肩梁３と横梁４は平面図上において矩形に配置され、頂梁６はこの矩形の中央に配置される。
【００１２】
テント骨組１を構成する各支柱２、肩梁３、横梁４、傾斜梁５、頂梁６は、例えばアルミパイプ等の金属管によって形成される。
【００１３】
図２の（ａ）〜（ｆ）はテント骨組１が折り畳まれる手順を示す斜視図である。図３の（１）〜（５）はテント骨組１が折り畳まれる手順を示す側面図であり、図４〜８は図３の（１）〜（５）をそれぞれ拡大した図である。図３の（１′）〜（５′）は、テント骨組１が折り畳まれる手順を示す正面図であり、図９〜１３は図３の（１′）〜（５′）をそれぞれ拡大した図である。
【００１４】
これらの図に示すように、テント骨組１は、肩梁３、横梁４をそれぞれ曲折可能に２分割するとともに、頂梁６をその中程で切り離し可能に２分割し、各支柱２と肩梁３と横梁４と頂梁６とが傾斜梁５に対して沿うように一体として折り畳まれ、従来のように複数のユニットに分割する必要がない。
【００１５】
図４、９は各支柱２が収縮した状態を示す。支柱２は、支柱上部２１と支柱下部２２とに伸縮可能に分割される。支柱上部２１と支柱下部２２とは、径が異なる金属管によって形成され、支柱上部２１の内側に支柱下部２２が摺動可能に嵌合している。支柱上部２１と支柱下部２２の伸縮は、図示しないクランプにより係止される。
【００１６】
図４、９に示すように支柱２が立てられ状態にて、支柱２が倒れないように支持する係止手段として、支柱２と横梁４とに渡ってブレス８が斜めに掛け渡されるとともに、支柱２と肩梁３とに渡ってブレス７が斜めに掛け渡され、各ブレス８、７を介して支柱２が倒れないように支持される。
【００１７】
ブレス８は、その下端部がピン２３を介して支柱２に回動可能に連結され、その上端部が横梁４に取り付けられた金具２５に対して着脱可能に連結される。
【００１８】
ブレス７は、その下端部がピン２６を介して支柱２に回動可能に連結され、その上端部が横梁４に取り付けられた金具２７に対して着脱可能に連結される。
【００１９】
なお、支柱２が倒れないように支持する係止手段は、上記した各ブレス８、７に限らず、他の機構を用いても良い。
【００２０】
テント骨組１の屋根部の４隅には、各隅部継手１０がそれぞれ設けられる。各隅部継手１０には各傾斜梁５の下端部が固定され、隅部継手１０を介して各支柱２と横梁４と肩梁３がそれぞれ傾斜梁５に沿うように折り畳まれる。
【００２１】
図１４の（ａ）、（ｂ）は、図９の左側に設けられる隅部継手１０の正面図と側面図である。この隅部継手１０は、支柱２の延長上に設けられる断面Ｕ字形の支柱支持部１０ａと、傾斜梁５の延長上に設けられる断面Ｕ字形の傾斜梁支持部１０ｂと、肩梁３の延長上に設けられる断面Ｕ字形の肩梁支持部１０ｃとを有する。これらの支柱支持部１０ａと傾斜梁支持部１０ｂと肩梁支持部１０ｃとは、それぞれ断面Ｕ字形に曲げられた金属板によって形成され、円管状の支柱２、傾斜梁５、横梁４の各外周面に沿って半円弧状に湾曲している。
【００２２】
隅部継手１０の傾斜梁支持部１０ｂには２対のボルト穴１０ｅが形成され、各ボルト穴１０ｅに挿通する２本のボルト１０ｆを介して傾斜梁５が固定される（図４参照）。
【００２３】
隅部継手１０の支柱支持部１０ａには１対のヒンジ穴１０ｇが形成され、各ヒンジ穴１０ｇに挿通するピン１０ｈを介して支柱２が回動可能に支持される（図４〜８参照）。
【００２４】
図４に示すように、支柱２の上端部からテント内側に向けて突出するブラケット２８が形成され、このブラケット２８にピン１０ｈが貫通する。これにより、支柱２が隅部継手１０に対して所定の角度範囲で回動する。支柱２が略垂直に立てられた状態で、支柱２の外周面が支柱支持部１０ａに押し当てられ、支柱２のガタツキが抑えられる。
【００２５】
隅部継手１０の傾斜梁支持部１０ｂには１対のヒンジ穴１０ｉが形成され、各ヒンジ穴１０ｉに挿通するピン１０ｊを介して横梁４が回動可能に支持される（図４〜８参照）。
【００２６】
図４に示すように、傾斜梁５の両端部から上方向に向けて突出するブラケット４１が形成され、このブラケット４１にピン１０ｊが貫通する。
【００２７】
隅部継手１０の肩梁支持部１０ｃには１対のヒンジ穴１０ｋが形成され、各ヒンジ穴１０ｋに挿通するピン１０ｍを介して肩梁３が回動可能に支持される（図９〜１３参照）。
【００２８】
図９に示すように、肩梁３の両端部から上方向に向けて突出するブラケット３１が形成され、このブラケット３１にピン１０ｍが貫通する。これにより、肩梁３が隅部継手１０に対して所定の角度範囲で回動する。肩梁３が各支柱２に対して略直交する状態で、肩梁３の外周面が肩梁支持部１０ｃに押し当てられ、肩梁３のガタツキが抑えられる。
【００２９】
横梁４はその中程で第一、第二横梁４３、４４に分割され、この第一、第二横梁４３、４４は横梁中央部継手４５を介して切り離し可能に連結される。
【００３０】
図４に示すように、横梁中央部継手４５は、第一、第二横梁４３、４４の端部に結合される継手管４６、４７を備え、この継手管４６、４７はピン４８を介して回動可能に連結される。このピン４８は隅部継手１０のピン１０ｊと平行に、かつ図９に示す正面図において支柱２と傾斜梁５と直交するように配置される。これにより、図５〜８に示すように、第一、第二横梁４３、４４は傾斜梁５と支柱２とに沿うように折り畳まれる。
【００３１】
横梁中央部継手４５の継手管４７は、図４に示すように第一、第二横梁４３、４４が直線上に延びた状態で継手管４６に当接するストッパレバー部４７ａを有し、第一、第二横梁４３、４４がそれ以上曲折しないように係止する。横梁中央部継手４５は、重力が各ストッパレバー部４７ａを継手管４６に当接させる方向に働き、横梁４の第一、第二横梁４３、４４が互いに軸方向に延びるように保持される。
【００３２】
切妻形屋根部９の頂部には、その左右端に頂部継手１１がそれぞれ設けられる。各頂部継手１１を介して頂梁６と各傾斜梁５とが互いに沿うように折り畳まれる。
【００３３】
頂部継手１１は、傾斜梁５の延長上に設けられる断面Ｕ字形をした前後の傾斜梁支持部１１ｂと、頂梁６の延長上に設けられる断面Ｕ字形をした頂梁支持部１１ｃとを有する。これらの傾斜梁支持部１１ｂと頂梁支持部１１ｃとは、それぞれ断面Ｕ字形に曲げられた金属板によって形成され、円管状の傾斜梁５、頂梁６の各外周面に沿って断面半円弧状に湾曲している。
【００３４】
頂部継手１１の各傾斜梁支持部１１ｂには、１対のヒンジ穴１１ｇがそれぞれ形成され、各ヒンジ穴１１ｇに挿通するピン１１ｈを介して傾斜梁５が回動可能に支持される（図４〜８参照）。
【００３５】
図４に示すように、傾斜梁５の上端部から突出するブラケット５１が形成され、このブラケット５１にピン１１ｈが貫通する。これにより、左右の傾斜梁５が頂部継手１１に対して所定の角度範囲で回動する。左右の傾斜梁５が所定角度で拡がった状態で、傾斜梁５の外周面が傾斜梁支持部１１ｂに押し当てられ、傾斜梁５のガタツキが抑えられる。
【００３６】
頂部継手１１の頂梁支持部１１ｃには１対のヒンジ穴１１ｄが形成され、各ヒンジ穴１１ｄに挿通するピン１１ｅを介して頂梁６が回動可能に支持される（図９〜１３参照）。
【００３７】
図９に示すように、頂梁６の両端部から下方に突出するブラケット６１が形成され、このブラケット６１にピン１１ｅが貫通する。これにより、頂梁６が頂部継手１１に対して所定の角度範囲で回動する。頂梁６が略水平に延びた状態で、頂梁６の外周面が頂梁支持部１１ｃに押し当てられ、頂梁６のガタツキが抑えられる。
【００３８】
頂梁６はその中程で第一、第二頂梁６３、６４に分割され、この第一、第二頂梁６３、６４は頂梁切り離し継手６５を介して切り離し可能に連結される。
【００３９】
図１６に示すように、頂梁切り離し継手６５は、第一、第二頂梁６３、６４の端部に連結される継手管６６、６７を備え、継手管６６の先端部が継手管６７の先端部の内側に差し込まれる。継手管６６の外周面から出没可能に突出するストッパピン６８が設けられ、このストッパピン６８が継手管６７のピン穴６９に嵌合することにより継手管６６、６７の抜け止めが行われる。ストッパピン６８を突出方向に付勢するスプリング７０が設けられる。
【００４０】
頂梁切り離し継手６５によって第一、第二頂梁６３、６４が連結された状態にて、第一、第二頂梁６３、６４は互いに直線上に延びるように保持される。
【００４１】
第一、第二頂梁６３、６４を切り離す場合、スプリング７０に抗してストッパピン６８を継手管６６の外周面から突出しないように押し込むことにより、継手管６６の先端部が継手管６７の先端部から抜き取られる。
【００４２】
なお、頂梁切り離し継手６５によって切り離された継手管６６、６７を結ぶ索具を設けて、テントの組立時に継手管６６、６７どうしの組み付けを案内するようにしても良い。
【００４３】
肩梁３はその中程で第一、第二肩梁３３、３４に分割され、この第一、第二肩梁３３、３４は肩梁中央部継手３５を介して折り畳み可能に連結される。
【００４４】
図１７の（ａ）、（ｂ）、（ｃ）は、肩梁中央部継手３５の継手管３６、３７が折り畳まれる様子を示す図である。
【００４５】
図１７の（ａ）に示すように、肩梁中央部継手３５は、第一、第二肩梁３３、３４の端部に連結される継手管３６、３７と、この継手管３６、３７に対してその両端部がピン３８、３９を介して回動可能に連結される対のリンク４０とを備える。継手管３６、３７には固定ストッパピン７８、７９が取り付けられ、第一、第二肩梁３３、３４が直線上に延びた状態で、各リンク４０が固定ストッパピン７８、７９に当接し、第一、第二肩梁３３、３４がそれ以上に曲折することを係止する。肩梁中央部継手３５は、重力が各リンク４０を固定ストッパピン７８、７９に当接させる方向に働き、肩梁３の第一、第二肩梁３３、３４が互いに軸方向に延びるように保持される。
【００４６】
肩梁中央部継手３５は、各ピン３８、３９を各傾斜梁５を含む平面に対して直交するように配置し、第一、第二肩梁３３、３４が各傾斜梁５を含む平面に沿って折り畳まれる構成とする。このため、ピン３８、３９と各ピン１０ｍとは、図４に示す側面図上において、傾斜梁５と直交するように配置される。これにより、図１７の（ｂ）、（ｃ）に示すように、第一、第二肩梁３３、３４が各傾斜梁５に沿うように折り畳まれる。
【００４７】
図１に示すように、テント骨組１が組み立てられた状態にて、伸張した４本の支柱２が接地して立てられ、各支柱２の上に肩梁３と横梁４と傾斜梁５と頂梁６とによって切妻形屋根部９が構成され、この切妻形屋根部９に図示しないテントキャンバスが張設されて、日除け、雨除けの役目が果たされる。
【００４８】
テント骨組１は、組み立てられた状態にて、頂梁６が頂梁切り離し継手６５によって直線上に延びるように保持されるため、頂梁６を介して各頂部継手１１の位置及び姿勢が定まる。そして、横梁４が横梁中央部継手４５によって直線上に延びるように保持され、肩梁３が肩梁中央部継手３５によって直線上に延びるように保持され、頂梁６が頂部継手１１によって水平に延びるように保持されるとともに、各傾斜梁５が頂部継手１１によって所定角度以上に拡がらないように保持される。また、支柱２と横梁４と肩梁３とが隅部継手１０によって所定角度以上に拡がらないように保持される。これにより、テント骨組１は切妻形屋根部９の骨組形状が維持され、雨、風等の外力に対抗する剛性が十分に確保される。
【００４９】
以下、テント骨組１が折り畳まれる手順について説明する。
【００５０】
・図２の（ａ）（ｂ）（ｃ）に示すように、支柱２を収縮させるとともに、各ブレス７、８の上端を外し、支柱２を横梁４に沿うように折り畳む。なお、図２の（ｂ）または（ｃ）に示すように、テント骨組１の屋根部が低くなった状態にて、テント骨組１に張設されていたテントキャンバスが外される。
【００５１】
・図２の（ｄ）に示すように、頂梁切り離し継手６５を介して頂梁６の第一、第二頂梁６３、６４を切り離す。
【００５２】
・図２の（ｄ）（ｅ）（ｆ）と図３の（２）〜（５）（２′）〜（５′）にそれぞれ示すように、肩梁３の第一、第二肩梁３３、３４、横梁４の第一、第二横梁４３、４４が隅部継手１０を介して傾斜梁５に沿うように折り畳まれる。このとき、頂梁６は頂梁切り離し継手６５によって第一、第二頂梁６３、６４が切り離されているため、各隅部継手１０が接地した状態を維持しながら、第一、第二肩梁３３、３４、第一、第二横梁４３、４４を引き寄せ、テント骨組１を円滑に折り畳むことができる。
【００５３】
これに対して、頂梁６の第一、第二頂梁６３、６４が切り離されず、頂梁切り離し継手によって曲折可能に連結されている場合、第一、第二肩梁３３、３４、第一、第二横梁４３、４４を引き寄せるのに伴って、第一、第二頂梁６３、６４が地面に突き当たってしまい、各隅部継手１０が浮き上がり、テント骨組１を円滑に折り畳むことができない。
【００５４】
・図２の（ｆ）と図３の（５）（５′）に示すように、最終的にテント骨組１は、４本の傾斜梁５の内側に第一、第二肩梁３３、３４、第一、第二横梁４３、４４、第一、第二頂梁６３、６４が収まり、折り畳まれたテント骨組１のコンパクト化が図られる。
【００５５】
本発明は、接地して上方向に延びる少なくとも４本の支柱２と、各支柱２の上端部間にて左右方向に延びる前後の肩梁３と、各支柱２の上端部間にて前後方向に延びる左右の横梁４と、各支柱２の上端部間にて前後斜め上方向に延びる少なくとも４本の傾斜梁５と、この各傾斜梁５の上端部を連結する頂部に渡って左右方向に延びる頂梁６と備え、各支柱２の上に肩梁３と横梁４と傾斜梁５と頂梁６とによって切妻形屋根部９が構成される催事用テントであって、支柱２と横梁４と傾斜梁５とを互いに曲折可能に連結する隅部継手１０と、各傾斜梁５と頂梁６とを折り畳み可能に連結する頂部継手１１と、横梁４の中央部を曲折可能に連結する横梁中央部継手４５と、肩梁３の中央部を曲折可能に連結する肩梁中央部継手３５と、頂梁６の中央部を切り離し可能に連結する頂梁切り離し継手６５とを備え、頂梁６の中央部を切り離して支柱２と肩梁３と横梁４と頂梁６とがそれぞれ傾斜梁５に沿うように折り畳まれる構成とした。
【００５６】
これにより、テント骨組１の折り畳み時、頂梁切り離し継手６５を介して頂梁６の中央部を切り離す構造のため、横梁４の中程と肩梁３の中央部をそれぞれ切り離すことなく一体として折り畳むことが可能となる。このため、テント骨組１を従来のように複数ユニットに分割する必要がなく、テント骨組１の組み立て作業、収納作業等を容易に行える。
【００５７】
テント骨組１は、組み立てられた状態にて、頂梁６が頂梁切り離し継手６５によって直線上に延びるように保持されるため、頂梁６を介して各頂部継手１１の位置及び姿勢が定まり、テント骨組１は切妻形屋根部９の骨組形状が維持され、雨、風等の外力に対抗する剛性が十分に確保される。
【００５８】
本実施形態は、支柱２と肩梁３と横梁４と傾斜梁５とを折り畳み可能に連結する隅部継手１０を備え、この各隅部継手１０を傾斜梁５の下端部に固定し、隅部継手１０を介して折り畳まれた支柱２と横梁４と肩梁３とが各傾斜梁５の内側に収まる構成とした。
【００５９】
これにより、折り畳まれたテント骨組１のコンパクト化が図られ、収納スペースが小さくて済む。
【００６０】
本実施形態は、肩梁３を第一、第二肩梁３３、３４に分割し、肩梁中央部継手３５は第一、第二肩梁３３、３４を回動可能に支持するピン３８、３９を備え、各ピン３８、３９を各傾斜梁５を含む平面に対して直交するように配置し、第一、第二肩梁３３、３４が各傾斜梁５を含む平面に沿って折り畳まれる構成とする。
【００６１】
これにより、第一、第二肩梁３３、３４が各傾斜梁５に沿うように折り畳まれ、折り畳まれたテント骨組１のコンパクト化が図られ、収納スペースが小さくて済む。
【００６２】
他の実施の形態として、図１８に示すように、テント骨組１は、接地して上方向に延びる６本の支柱２を備え、各支柱２の上に２つの切妻形屋根部９を設けても良い。
【００６３】
この場合も、切妻形屋根部９の頂梁６の中央部を切り離すことにより、２つの切妻形屋根部９及び６本の支柱２をそれぞれ切り離すことなく一体として折り畳むことが可能となる。
【００６４】
なお、テント骨組１は、これに限らず、３つ以上の切妻形屋根部９が並ぶ構成とすることもできる。
【００６５】
本発明は上記の実施の形態に限定されずに、その技術的な思想の範囲内において種々の変更がなしうることは明白である。
【図面の簡単な説明】
【００６６】
【図１】本発明の実施の形態を示すテント骨組の斜視図。
【図２】同じくテント骨組が折り畳まれる手順を示す斜視図。
【図３】同じくテント骨組が折り畳まれる手順を示す側面図と正面図。
【図４】同じくテント骨組の側面図。
【図５】同じくテント骨組の側面図。
【図６】同じくテント骨組の側面図。
【図７】同じくテント骨組の側面図。
【図８】同じくテント骨組の側面図。
【図９】同じくテント骨組の正面図。
【図１０】同じくテント骨組の正面図。
【図１１】同じくテント骨組の正面図。
【図１２】同じくテント骨組の正面図。
【図１３】同じくテント骨組の正面図。
【図１４】同じくテント骨組の正面図。
【図１５】同じく隅部継手の正面図と側面図。
【図１６】同じく頂梁切り離し継手の正面図と側面図。
【図１７】同じく肩梁中央部継手の正面図。
【図１８】他の実施の形態を示すテント骨組の斜視図。
【符号の説明】
【００６７】
１  テント骨組
２  支柱
３  横梁
４  横梁
５  傾斜梁
６  頂梁
９  切妻形屋根部
１０  隅部継手
１１  頂部継手
３３、３４  第一、第二肩梁
３５  肩梁中央部継手
３８、３９  ピン
４５  横梁中央部継手
６５  頂梁切り離し継手
【図１】
2009091767.tif 000003
【図２】
2009091767.tif 000004
【図４】
2009091767.tif 000005
【図５】
2009091767.tif 000006
【図６】
2009091767.tif 000007
【図７】
2009091767.tif 000008
【図８】
2009091767.tif 000009
【図９】
2009091767.tif 000010
【図１０】
2009091767.tif 000011
【図１１】
2009091767.tif 000012
【図１２】
2009091767.tif 000013
【図１３】
2009091767.tif 000014
【図１４】
2009091767.tif 000015
【図１５】
2009091767.tif 000016
【図１６】
2009091767.tif 000017
【図１７】
2009091767.tif 000018
【図１８】
2009091767.tif 000019
【図３】
2009091767.tif 000020